(57)【要約】【課題】放屁や排便等に伴う臭いを迅速に吸着して効果的に消臭することのできる吸臭器を提供する。【解決手段】活性炭を含んだ通気性のある布状体２を、剛性のある枠体３に張架して構成し、空気中で機械的または手動によって微速で移動させる。また、布状体２を炭素繊維または活性炭素繊維で形成し、空気中で微速で移動させる。この微速移動により、空気中に漂う臭いを、掴むようにして布状体２に吸着させ、迅速かつ効果的に消臭する。トイレ内や老人養護施設或いは病院内のみならず、一般家庭や工場等、あらゆる場所での有機性異臭の消臭に用いることが出来る。【選択図】      図１
2006026274.tif 000002
【特許請求の範囲】
【請求項１】
放屁や排便等に伴う臭いを吸着して消臭する吸臭器であって、活性炭を含んだ通気性のある布状体（２）を，剛性のある枠体（３）に張架して構成し、空気中で機械的または手動によって移動させてなる吸臭器。
【請求項２】
放屁や排便等に伴う臭いを吸着して消臭する吸臭器であって、炭素繊維または活性炭素繊維で形成した通気性のある布状体（２）を，剛性のある枠体（３）に張架して構成し、空気中で機械的または手動によって、微速で移動させてなる吸臭器。
【発明の詳細な説明】
【技術分野】
【０００１】
本発明は、放屁や排便等に伴う臭いを吸着して消臭する吸臭器に関するものである。
【背景技術】
【０００２】
放屁や排便は、誰もが日常的に行う生活習慣の一つである。しかし、放屁や排便等には悪臭が伴うため、周囲の人々に不快感を与えてしまう。
【発明の開示】
【発明が解決しようとする課題】
【０００３】
従来、こうした放屁等に伴う悪臭を消すために、例えば、トイレや部屋等に消臭剤や芳香剤を備えておくといった手段が採られている。しかし、これまでの消臭剤や芳香剤の消臭効果は迅速性に欠け、悪臭が暫くの間、部屋等に充満してしまう。
【０００４】
本発明は、こうした問題に鑑み創案されたもので、放屁や排便等に伴う臭いを迅速に吸着して効果的に消臭することのできる吸臭器を提供することを課題とする。
【課題を解決するための手段】
【０００５】
図１および図２を参照して説明する。請求項１に記載の発明は、放屁や排便等に伴う臭いを吸着して消臭する吸臭器であって、活性炭を含んだ通気性のある布状体２を、剛性のある枠体３に張架して構成し、空気中で機械的または手動によって移動させてなる。
【０００６】
請求項２に記載の発明は、放屁や排便等に伴う臭いを吸着して消臭する吸臭器であって、炭素繊維または活性炭素繊維で形成した通気性のある布状体２を、剛性のある枠体３に張架して構成し、空気中で機械的または手動によって、微速で移動させてなる。
【発明の効果】
【０００７】
請求項１に記載の吸臭器１は、活性炭を含んだ通気性のある布状体２を、剛性のある枠体３に張架して構成し、空気中で機械的または手動によって移動させるので、当該空気中に漂う臭いを、布状体２に吸着させて迅速に消臭することができる。
【０００８】
なお、この布状体２は通気性があるので、空気を通過させることによって、より効果的に臭いを吸着させることができる。また、枠体３は剛性を有するので、布状体２を安定した姿勢で移動させることができ、空気中の臭いをさらに迅速かつ効果的に吸着させることができる。
【０００９】
請求項２に記載の吸臭器１は、請求項１に記載の発明と同様な効果を発揮すると共に、布状体２を炭素繊維または活性炭素繊維で形成したので、柔軟性に富み、枠体３への取付けを始めとして、その取扱いが容易である。また、吸着力が高いので（特に、活性炭素繊維）、消臭効果をより高めることができる。さらに、この吸臭器１は、空気中を微速で移動するので、当該空気中の臭いを押し退けるのではなく掴むようにして吸着する。従って、吸着効果に優れる。
【発明を実施するための最良の形態】
【００１０】
本発明に係る吸臭器１の実施形態を、図１に示す。これは、放屁や排便に伴う臭いを吸着して消臭するためのものであり、老人養護施設や病院等に設けると特に効果的である。
【００１１】
この吸臭器１は、炭素繊維で形成した通気性のある布状体２を、剛性のある枠体３に張架して形成し、空気中で、モーター（図示せず）によって、天井に敷設したレール５に沿って微速で水平方向に往復移動するものである。
【００１２】
なお、布状体２は、炭素繊維の他に、活性炭素繊維や通常の布に活性炭を混入させて形成することもできる。また、枠体３は、プラスチック、木材あるいは金属で形成することができる。
【００１３】
本実施形態に係る吸臭器１は、炭素繊維で形成した通気性のある布状体２を、剛性のある枠体３に張架して構成し、空気中で機械的に微速で移動させるので、当該空気中に漂う臭いを、布状体２に迅速かつ効果的に吸着させて消臭することができる。
【００１４】
特に、この吸臭器１は、布状体２を炭素繊維で形成したので、柔軟性に富み、取扱いが容易である。また、この消臭器は、空気中を微速で移動するので、当該空気中の臭いを掴むようにして吸着し、より迅速に消臭することができる。
【００１５】
なお、本発明に係る吸臭器１は、上記実施形態に限定されるものではなく、例えば、水平方向往復移動に代えて垂直方向に往復移動させたり、周回移動や回転移動させることもできる。また、機械的に行うのではなく、例えば、団扇や扇子のように柄４を設け、その柄４を手で持って動かすこともできる（図２参照）。さらに、微速ではなく、扇風機のように通常速度または高速で移動させることもできる。
【００１６】
また、本発明に係る吸臭器１は、放屁や排便に伴う臭いのみでなく、例えば、生ゴミや化学物質、その他あらゆる臭いを消すために使用することができる。さらに、老人養護施設や病院での使用に限らず、一般家庭や工場等、あらゆる場所において有機性異臭の消臭に使用することができる。
【実施例】
【００１７】
布状体としてGasBGon製（在U.S.A.）のガスメディック（GasMedic）を使用した。
【００１８】
炭素繊維で形成した布状体２の吸着効果について、本発明者らは実験を行った。その結果を、図３に示す。
【００１９】
この実験は、二種類のパンツ（下着）（＃５、＃６）の他に、パッド（＃１〜＃４）、およびクッション（＃７〜＃１１）を用いて行った。これらは全て炭素物質を含むが、その内、パンツ（＃６）は活性炭素繊維を織って作り、他のパンツ（＃５）は木炭を含んだパッドを通常パンツの肛門部分に対向する箇所に付着させたものである。また、クッション（＃７）は炭素化した布を極薄の繊維で覆って形成したものである。
【００２０】
そして、これらのパンツ、パッドおよびクッションを、それぞれ、少なくとも人体の肛門部分にあてがい、その肛門から人工的に硫化水素（Ｈ２Ｓ）とメチルメルカプタン（ＣＨ３ＳＨ）といった放屁に伴う悪臭に類似するガスを放出させ、３０秒後におけるそれらガスの吸着率を測定した。また、この実験は、クッションを除いて、立った姿勢と座った姿勢の両方で行った。
【００２１】
その結果、活性炭素繊維を織った布状体２を使用して作ったパンツ（＃６）のガス吸着率は９５％〜９９％に達し、３０秒という短時間の間に殆どのガス（臭い）を吸着するという事実を確認した。
【００２２】
本発明者は、この実験をもとに本発明を創案するに至ったものであり、従って、本発明に係る吸臭器１は空気中で移動させることによって、放屁等に伴う当該空気中に漂う臭いを迅速に吸着することができ、よって効果的に消臭できることがわかる。
【図面の簡単な説明】
【００２３】
【図１】本発明に係る吸臭器の実施形態を示す斜視図である。
【図２】本発明に係る吸臭器の他の実施形態を示す正面図である。
【図３】本発明に係る吸臭器の実施形態に使用した炭素繊維の消臭効果を示す実験結果である。
【符号の説明】
【００２４】
１      吸臭器
２      布状体
３      枠体
４      柄
５      レール
【図１】
2006026274.tif 000003
【図２】
2006026274.tif 000004
【図３】
2006026274.tif 000005